【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
サーバ装置と端末装置とを具備する情報システムを構成するサーバ装置であって、
前記端末装置は、
２以上のオブジェクトが含まれる画像が格納される端末格納部と、
前記画像を前記サーバ装置に送信する端末送信部と、
ユーザに提示する情報であり、商品に関する情報である提示情報を受信する端末受信部と、
前記提示情報を出力する端末出力部とを具備し、
前記サーバ装置は、
前記画像を前記端末装置から受信する画像受信部と、
前記画像受信部が受信した画像に対する画像認識処理により、前記２以上の各オブジェクトを認識し、前記２以上の各オブジェクトを識別するオブジェクト識別子を取得し、当該各オブジェクト識別子を含む２以上のオブジェクト情報を取得するオブジェクト情報取得部と、
前記オブジェクト情報取得部が取得した２以上の各オブジェクト情報を用いて、当該２以上の各オブジェクト情報に対応する２以上のオブジェクトのオブジェクト情報を、提示情報として取得する提示情報取得部と、
前記提示情報を前記端末装置に送信する提示情報送信部とを具備する情報システムを構成するサーバ装置。
【請求項２】
前記提示情報取得部は、
前記オブジェクト情報取得部が取得した２以上の各オブジェクト情報が有するオブジェクト識別子で識別されるオブジェクトと同じオブジェクトのオブジェクト情報である提示情報を取得する、または前記オブジェクト情報取得部が取得した２以上の各オブジェクト情報が有するオブジェクト識別子で識別されるオブジェクトと同じ種類のオブジェクトのオブジェクト情報である提示情報を取得する、または前記オブジェクト情報取得部が取得した２以上の各オブジェクト情報が有するオブジェクト識別子で識別されるオブジェクトに関連があり、当該オブジェクトと異なる種類のオブジェクトのオブジェクト情報である提示情報を取得する、または前記オブジェクト情報取得部が取得した２以上の各オブジェクト情報に含まれるオブジェクト識別子をキーとして、１以上の商品情報が格納されている格納部を検索し、１以上の商品情報を取得し、かかる１以上の商品情報の全部または一部を有する提示情報を取得する、またはオブジェクト情報取得部が取得した２以上の各オブジェクト情報に含まれるオブジェクト識別子に対応する部分画像の１以上の特徴量を取得し、かかる１以上の特徴量を用いて、１以上の商品情報が格納されている格納部を検索し、１以上の商品情報を取得し、かかる１以上の商品情報の全部または一部を有する提示情報を取得する請求項１記載のサーバ装置。
【請求項３】
前記端末出力部は、
ユーザにより選択されたオブジェクトに対応するオブジェクト情報である提示情報を出力する請求項１または請求項２記載のサーバ装置。
【請求項４】
前記画像受信部は、
前記画像とともに、画像以外の情報である付加情報をも受信し、
前記提示情報取得部は、
前記付加情報に応じて、提示情報を取得するアルゴリズムが異なる請求項１から請求項３いずれか一項に記載のサーバ装置。
【請求項５】
前記付加情報は、
前記画像が撮影されたカメラに関するカメラ情報を含む請求項４記載のサーバ装置。
【請求項６】
前記提示情報取得部は、
前記カメラ情報が自撮りモードを示す情報である場合は、前記一のオブジェクト識別子で識別されるオブジェクトと異なる種類のオブジェクトのオブジェクト情報を、提示情報として取得し、前記カメラ情報が自撮りモードでないモードを示す情報である場合は、前記一のオブジェクト識別子で識別されるオブジェクトと同じまたは同じ種類のオブジェクトのオブジェクト情報を、提示情報として取得する請求項５記載のサーバ装置。
【請求項７】
前記端末受付部は、前記端末出力部が出力した提示情報に対するユーザの選択を受け付け、
前記端末送信部は、前記端末受付部が受け付けた前記ユーザの選択に関する購入情報を前記サーバ装置に送信し、
前記サーバ装置は、
前記購入情報を前記端末装置から受信する購入情報受信部と、
前記購入情報を用いた決済処理を行う決済処理部とをさらに具備する、請求項２から請求項６いずれか一項に記載のサーバ装置。
【請求項８】
２以上のオブジェクトが含まれる画像を端末装置から受信する画像受信部と、
前記画像受信部が受信した画像に対する画像認識処理により、前記２以上の各オブジェクトを認識し、前記２以上の各オブジェクトを識別するオブジェクト識別子を取得し、当該各オブジェクト識別子を含む２以上のオブジェクト情報を取得するオブジェクト情報取得部と、
前記オブジェクト情報取得部が取得した２以上のオブジェクト情報を用いて、当該２以上のオブジェクト情報に対応する２以上のオブジェクトのオブジェクト情報を、ユーザに提示する提示情報として取得する提示情報取得部と、
前記提示情報を前記端末装置に送信する提示情報送信部とを具備するサーバ装置。
【請求項９】
２以上のオブジェクトが含まれる画像が格納される端末格納部と、
前記画像をサーバ装置に送信する端末送信部と、
前記画像の送信に応じて、前記サーバ装置で前記画像を用いて取得された提示情報であり、前記画像に含まれる２以上の各オブジェクトのオブジェクト情報に対応する２以上のオブジェクトのオブジェクト情報であり、商品に関する情報である提示情報を前記サーバ装置から受信する端末受信部と、
前記提示情報を出力する端末出力部とを具備する端末装置。
【請求項１０】
画像受信部、提示情報取得部、提示情報取得部、および提示情報送信部により実現される情報処理方法であって、
前記画像受信部が、２以上のオブジェクトが含まれる画像を端末装置から受信する画像受信ステップと、
前記オブジェクト情報取得部が、前記画像受信ステップで受信された画像に対する画像認識処理により、前記２以上の各オブジェクトを認識し、前記２以上の各オブジェクトを識別するオブジェクト識別子を取得し、当該各オブジェクト識別子を含む２以上のオブジェクト情報を取得するオブジェクト情報取得ステップと、
前記提示情報取得部が、前記オブジェクト情報取得ステップで取得された２以上のオブジェクト情報を用いて、当該２以上のオブジェクト情報に対応する２以上のオブジェクトのオブジェクト情報を、ユーザに提示する提示情報として取得する提示情報取得ステップと、
前記提示情報送信部が、前記提示情報を前記端末装置に送信する提示情報送信ステップとを具備する情報処理方法。
【請求項１１】
２以上のオブジェクトが含まれる画像が格納される端末格納部と、端末送信部と、端末受信部と、端末受信部とにより実現される情報処理方法であって、
前記端末送信部が、前記画像をサーバ装置に送信する端末送信ステップと、
前記端末受信部が、前記画像の送信に応じて、前記サーバ装置で前記画像を用いて取得された提示情報であり、前記画像に含まれる２以上の各オブジェクトのオブジェクト情報に対応する２以上のオブジェクトのオブジェクト情報であり、商品に関する情報である提示情報を前記サーバ装置から受信する端末受信ステップと、
前記端末出力部が、前記提示情報を出力する端末出力ステップとを具備する情報処理方法。
【請求項１２】
コンピュータを、
２以上のオブジェクトが含まれる画像を端末装置から受信する画像受信部と、
前記画像受信部が受信した画像に対する画像認識処理により、前記２以上の各オブジェクトを認識し、前記２以上の各オブジェクトを識別するオブジェクト識別子を取得し、当該各オブジェクト識別子を含む２以上のオブジェクト情報を取得するオブジェクト情報取得部と、
前記オブジェクト情報取得部が取得した２以上のオブジェクト情報を用いて、当該２以上のオブジェクト情報に対応する２以上のオブジェクトのオブジェクト情報を、ユーザに提示する提示情報として取得する提示情報取得部と、
前記提示情報を前記端末装置に送信する提示情報送信部として機能させるためのプログラム。
【請求項１３】
２以上のオブジェクトが含まれる画像が格納される端末格納部にアクセス可能なコンピュータを、
前記画像をサーバ装置に送信する端末送信部と、
前記画像の送信に応じて、前記サーバ装置で前記画像を用いて取得された提示情報であり、前記画像に含まれる２以上の各オブジェクトのオブジェクト情報に対応する２以上のオブジェクトのオブジェクト情報であり、商品に関する情報である提示情報を前記サーバ装置から受信する端末受信部と、
前記提示情報を出力する端末出力部として機能させるためのプログラム。